(57)【特許請求の範囲】
【請求項１】
内部を仕切板部によって、熱交換器を収容する熱交換室と送風ファンを収容する送風室とに仕切り、
前記送風ファンを駆動するファンモータと、該ファンモータの回転軸を支持する軸受部とを、前記送風室内に備え、
前記ファンモータはモータ固定部により上面側板部及び前記仕切板部に固定される空気調和装置において、
前記モータ固定部は、前記ファンモータの回転軸方向における両端を挟むように設けられ前記上面側板部に固定される２つの面と、該２つの面の間に前記ファンモータに対向して設けられ前記仕切板部に固定される面と、を有し、
前記２つの面は、前記上面側板部に沿って前記２つの面の間に対して外側かつ前記回転軸方向に向かって延在する外側延在部を有し、該外側延在部は、前記上面側板部との固定部を有し、
前記上面側板部により前記ファンモータ側にモータ固定部用切起こし部が形成され、該モータ固定部用切起こし部は、前記外側延在部における前記仕切板部の側の面と接触することにより、前記モータ固定部が前記仕切板部側に動かないようにし、
前記上面側板部は前記仕切板部側に凸となるように同一部材で凸部が形成され、
前記仕切板部は、前記凸部における前記ファンモータとの反対側面と接触するように構成されることにより、該仕切板部が前記モータ固定部側に動かないようにすることを特徴とする空気調和装置。
【請求項２】
請求項１に記載の空気調和装置において、
前記軸受部は軸受固定部により固定されるとともに、該軸受固定部は前記上面側板部及び前記仕切板部に固定され、
前記上面側板部により前記軸受部側に軸受固定部用切起こし部が形成され、該軸受固定部用切起こし部は、前記軸受固定部における前記仕切板部の側の面と接触することにより、前記軸受固定部が前記仕切板部側に動かないようにすることを特徴とする空気調和装置。
【請求項３】
請求項２に記載の空気調和装置において、
前記軸受固定部用切起こし部は、前記軸受固定部における前記回転軸方向の面と接触することにより、前記軸受固定部が前記回転軸方向に動かないようにすることを特徴とする空気調和装置。
【発明の詳細な説明】
【技術分野】
【０００１】
本発明は、空気調和装置に関する。
【背景技術】
【０００２】
本技術分野の背景技術として、特開２００５−１６４０７２号公報（特許文献１）がある。この公報には、「送風装置を構成するファンモータの回転軸が長尺である場合に、回転軸を軸受部で支持することを前提として、軸受部に対する取付け固定を確実化して、回転軸の回転にともなう撓みの発生を防止し、かつ高い芯出し精度が得られ、組立て作業性の向上を図れる空気調和装置を提供しようとするものである。」と記載されている。
【０００３】
このように横軸で長尺の回転軸を有する送風装置において、騒音や振動を低減するためには、モータ軸と軸受の中心が一致すること（芯出し）が重要となる。モータ軸はモータ固定部の固定によって精度が決まり、軸受の中心は、軸受部及び軸受固定台の固定によって精度が決まる。
【先行技術文献】
【特許文献】
【０００４】
【特許文献１】特開２００５−１６４０７２号公報
【発明の概要】
【発明が解決しようとする課題】
【０００５】
前記特許文献１には、回転軸の芯出しを高精度に行うための方法として、軸受固定台と軸受部との固定方法及び軸受固定台と上面側板部の固定方法が記載されている。この固定方法は軸受固定台がユニット前方方向に移動しないように固定され、芯出しが精度良く行えることが示されている。
【０００６】
しかし、特許文献１においては軸受固定台がユニットの後ろ方向には固定されていないため、芯出しの精度がでない虞がある。また、モータ固定部と軸受固定台との位置関係がずれた場合について、特許文献１では考慮されておらず、これにより芯出し精度が低下する虞もある。
【０００７】
そこで本発明の目的は、モータ固定部又は軸受固定台の位置決めを容易とし高い芯出し精度を得るとともに、モータ固定部又は軸受固定台の位置ずれを抑制し、振動・騒音を低減することが可能な空気調和装置を提供することである。
【課題を解決するための手段】
【０００８】
上記課題を解決するために、例えば特許請求の範囲に記載の構成を採用する。
本願は上記課題を解決する手段を複数含んでいるが、その一例を挙げるならば、内部を仕切板部によって、熱交換器を収容する熱交換室と送風ファンを収容する送風室とに仕切り、前記送風ファンを駆動するファンモータと、該ファンモータの回転軸を支持する軸受部と、前記送風室内に備え、前記ファンモータはモータ固定部により上面側板部及び前記仕切板部に固定される空気調和装置において、前記モータ固定部は、前記ファンモータの回転軸方向における両端を挟むように設けられ前記上面側板部に固定される２つの面と、該２つの面の間に前記ファンモータに対向して設けられ前記仕切板部に固定される面と、を有し、前記２つの面は、前記上面側板部に沿って前記２つの面の間に対して外側かつ前記回転軸方向に向かって延在する外側延在部を有し、該外側延在部は、前記上面側板部との固定部を有し、前記上面側板部により前記ファンモータ側にモータ固定部用切起こし部が形成され、該モータ固定部用切起こし部は、前記外側延在部における前記仕切板部の側の面と接触することにより、前記モータ固定部が前記仕切板部側に動かないようにし、前記上面側板部は前記仕切板部側に凸となるように同一部材で凸部が形成され、前記仕切板部は、前記凸部における前記ファンモータとの反対側面と接触するように構成されることにより、該仕切板部が前記モータ固定部側に動かないようにすることを特徴とする。
【発明の効果】
【０００９】
本発明によれば、モータ固定部又は軸受固定台の位置決めを容易とし高い芯出し精度を得るとともに、モータ固定部又は軸受固定台の位置ずれを抑制し、振動・騒音を低減することが可能な空気調和装置を提供することができる。  
上記した以外の課題、構成及び効果は、以下の実施形態の説明により明らかにされる。
【図面の簡単な説明】
【００１０】
【図１】本実施例の空気調和装置１の斜視図を示す図である。
【図２】本実施例の空気調和装置１を横方向（図１の右側方向）から見た断面図を示す。
【図３】本実施例の空気調和装置１の内部構造図の例である。
【図４】本実施例のモータ固定部７を上面側板部５に取り付けた状態を回転軸方向から見た図である。
【図５】本実施例のモータ固定部の斜視図である。
【図６】本実施例の軸受固定部９を上面側板部５に取り付けた状態を回転軸方向から見た図である。
【図７】本実施例の軸受固定部９の斜視図である。
【発明を実施するための形態】
【００１１】
以下、実施例を、図面を用いて説明する。
【実施例】
【００１２】
図１は、本実施例の空気調和装置１の斜視図を示す図である。  
図２は、本実施例の空気調和装置１を横方向（図１の右側方向）から見た断面図を示す。本実施例の空気調和装置１は、天井に近接した状態で取り付けられる。空気調和装置１は送風ファン４が駆動することにより、吸込口２１から空気を吸込み、熱交換器３により熱交換が行われ、吹出口２２から熱交換が行われた空気が吹出されることにより、冷暖房運転が行われる。ここで、本実施例では、熱交換器３を収容する空間を熱交換室Ａと呼び、また送風ファン４を収容する空間を送風室Ｂと呼ぶ。これらの熱交換室Ａ、送風室Ｂは仕切板部２によって仕切られ、仕切板部２と上面側板部５（天板）とで形成されている。
【００１３】
図３は、空気調和装置の内部構造図を示す図であり、方向としては図１を下側から見た図を示す。送風室Ｂは上面側板部５と仕切板部２とで仕切られて構成され、送風ファン４を駆動するファンモータ６を上面側板部５に固定するモータ固定部７（モータ固定台）と、ファンモータ６の回転軸を軸支する軸受部８（軸受固定台）と、この軸受部８を上面側板部５に固定する軸受固定部９とを備えている。なお、図３において上面側板部５は反対側に配置されている。以上に説明したように本実施例の空気調和装置１は、内部を仕切板部２によって、熱交換器３を収容する熱交換室Ａと送風ファン４を収容する送風室Ｂとに仕切り、送風ファン４を駆動するファンモータ６と、該ファンモータ６の回転軸を支持する軸受部８と、送風室Ｂ内に備え、ファンモータ６はモータ固定部７により上面側板部５及び仕切板部２に固定される。
【００１４】
ここでモータ固定部７や軸受固定部９の前方（図３において下方向）や後方（図３において上方向）への位置ずれや、あるいは、これらの回転軸方向（図３において左右方向）への位置ずれが生じると、回転軸の撓み変形や位置ずれに起因した振動や騒音の原因ともなり得るため、この位置ずれを起こさないことが重要な課題となる。以下においては、この課題を解決するための本実施例の構成について説明する。
【００１５】
図４は、本実施例のモータ固定部７を上面側板部５に取り付けた状態を回転軸方向から見た図である。
【００１６】
図５は、本実施例のモータ固定部７の斜視図を示す。本実施例では図４、図５に示すように上面側板部５は、ファンモータ６側に形成されたモータ固定部用切起こし部１０が形成され、モータ固定部用切起こし部１０は、モータ固定部７の仕切板部２の側の熱交換器室側移動防止面１５で接触する。なお、図５においては図示していないが、仕切板部２が手前側に配置され、上面側板部５が下側に配置される。このようにモータ固定部用切起こし部１０を上面側板部５に形成することにより、モータ固定部７が仕切板部２側（図４の上側、図５の手前側）に動かないようにすることができ、ファンモータ６のユニット前方方向（図３の上側）へ位置ずれを防止することができ、さらにこれを用いて位置決めを行うことが可能である。
【００１７】
より具体的に説明すると、図５に示すようにモータ固定部７は、ファンモータ６の回転軸方向の両側においてそれぞれ上面側板部５（図示していないが、図５の下側に配置）と固定するように構成されている。モータ固定部用切起こし部１０は、回転軸方向の両側においてそれぞれ形成された二つの切起こし部により構成され、これらの切起こし部が回転軸方向の両側において、それぞれ仕切板部２（図示していないが、図５の手前側に配置）の側の面（熱交換器室側移動防止面１５）で接触することにより、モータ固定部７が仕切板部２側に動かないようにしたものである。ここでは上面側板部５にモータ固定部用切起こし部１０を形成することで別部材を不要としコストの低減を図ったものであるが、モータ固定部用切起こし部１０の代わりに溶接等によりファンモータ６側にモータ固定部用凸部を形成し、これによりモータ固定部用切起こし部１０と同様の作用を奏することも可能である。
【００１８】
ここで、上面側板部５は仕切板部２側に凸となるように凸部１１（リブ形状）が形成され、仕切板部２は上面側板部５と接触する箇所をこの凸部１１の形状に合わせるように曲げられている。このように仕切板部２がファンモータ６と反対側面で接触するように構成されることにより、仕切板部２がモータ固定部７側（図４の下側）に動かないようにしている。
【００１９】
次に軸受固定部９の位置ずれ防止方法において図６、図７を用いて説明する。モータ固定部の位置ずれ防止も大事であるが、この軸受固定部９の位置ずれが生じると、やはり芯出し精度が低下し、騒音や振動発生の原因となり得る。そこで本実施例においては、図６、図７に示す構成により、この問題解決を図り騒音、振動発生を抑制するものである。
【００２０】
図６は、本実施例の軸受固定部９を上面側板部５に取り付けた状態を回転軸方向から見た図である。
【００２１】
図７は、本実施例の軸受固定部９の斜視図である。軸受部８は軸受固定部９により固定されるとともに、軸受固定部９は上面側板部５及び仕切板部２に固定される。なお、図７では図示していないが、上面側板部５は下側に配置され、仕切板部２が手前側に配置される。上面側板部５は、軸受部８側に形成された軸受固定部用切起こし部１２が形成され、軸受固定部用切起こし部１２は、軸受固定部９の仕切板部２（図示していないが図７の手前側に配置）の側の熱交換器室側移動防止面１３で接触する。この反対側面とは図７の軸受固定部９の熱交換器室側移動防止面１３と軸受固定部用切起こし部１２の熱交換器室側移動防止部位１７が接触する面である。これにより、軸受固定部９が仕切板部２側に動かないようにする。
【００２２】
また、軸受固定部用切起こし部１２は、軸受固定部９と回転軸方向の面で接触することにより、軸受固定部９が回転軸方向に動かないようにする。すなわち、図７の軸受固定部９の回転軸方向移動防止面１４と軸受固定部用切起こし部１２の回転軸方向移動防止部位１８が接触するにより、軸受固定部９が回転軸方向に動かないようにするものである。これは軸受固定部９はねじ２３により上面側天板５に固定するものであるが、この作業の際に軸受固定部９がねじ２３の回転方向、つまり、回転軸方向に移動してしまうことを防止するものである。これにより作業性が向上するとともに位置ずれ防止を図ることが可能となる。
【００２３】
以上に説明した本実施例の構成によれば、軸受部８の中心をファンモータ６の回転軸と一致させるように位置決めを行うことができると共に、位置ずれ防止が図ることができるため、高い芯出し精度となり、位置ずれに起因する振動・騒音低減を図ることができる。またモータ固定部７用と軸受固定部９用の切起こしは、同じ部品である上面側板部５によって切起こしが形成されるため、製造時の寸法管理も行いやすい。
【符号の説明】
【００２４】
１  空気調和装置
２  仕切板部
３  熱交換器
４  送風ファン
５  上面側板部
６  ファンモータ
７  モータ固定部
８  軸受部
９  軸受固定部
１０  モータ固定部用切起こし部
１１  凸部
１２  軸受固定部用切起こし部
１３  熱交換器室側移動防止面（軸受固定部）
１４  回転軸方向移動防止面
１５  熱交換器室側移動防止面（モータ固定部）
１６  仕切板の面
１７  熱交換器室側移動防止部位（軸受固定部用切起こし部）
１８  回転軸方向移動防止部位
Ａ  熱交換室
Ｂ  送風室
【図１】
0006022182.tif 000002
【図２】
0006022182.tif 000003
【図３】
0006022182.tif 000004
【図４】
0006022182.tif 000005
【図５】
0006022182.tif 000006
【図６】
0006022182.tif 000007
【図７】
0006022182.tif 000008